(57)【要約】      （修正有）【課題】吸気部から離れるにつれて送風口での送風量が減少することを防止する送風装置を提供する。【解決手段】送風装置１は、気体が通る通風路を内部に有する本体部２と、通風路に気体を吸気する吸気部と、を備え、本体部２は、通風路と連通し且つ気体を本体部２の外部に送風する複数の送風口５を備え、複数の送風口５は、吸気部から離れるにつれてサイズが大きくなるように整列して配置される。吸気部は、頸部の前方又は後方に配置され、通風路は、吸気部の左方から延びる第１通風路と、吸気部の右方から延びる第２通風路と、を備え、複数の送風口５は、第１通風路と連通する複数の第１送風口５１と、第２通風路と連通する複数の第２送風口５２と、を備え、複数の第１送風口５１及び複数の第２送風口５２は、本体部２の内側の上方を向くように配置される。【選択図】図２
0003226635.tif 000002
【実用新案登録請求の範囲】
【請求項１】
気体が通る通風路を内部に有する本体部と、
前記通風路に前記気体を供給する吸気部と、を備え、
前記本体部は、前記通風路と連通し且つ前記気体を前記本体部の外部に送風する複数の送風口を備え、
前記複数の送風口は、前記吸気部から離れるにつれてサイズが大きくなるように整列して配置される、送風装置。
【請求項２】
前記本体部は、人の頸部に沿った曲線状であり、
前記吸気部は、吸気に必要な電力を蓄電することが可能な電源部を備え、
前記送風口は、前記本体部を装着した装着者の人体側に配置される、請求項１に記載の送風装置。
【請求項３】
前記吸気部は、前記頸部の前方又は後方に配置され、
前記通風路は、前記吸気部の左方から延びる第１通風路と、前記吸気部の右方から延びる第２通風路と、を備え、
前記複数の送風口は、前記第１通風路と連通する複数の第１送風口と、前記第２通風路と連通する複数の第２送風口と、を備え、
前記複数の第１送風口及び前記複数の第２送風口は、前記本体部の内側の上方を向くように配置される、請求項２に記載の送風装置。
【請求項４】
前記第１通風路及び前記第２通風路は、それぞれ左右対称形状であり、
前記複数の第１送風口及び前記複数の第２送風口は、それぞれ左右対称形状であり、
前記吸気部は、前記本体部の内部に配置されるとともに、前記第１通風路に前記気体を供給する第１ブロワと、前記第２通風路に前記気体を供給する第２ブロワとを備え、
前記本体部は、前記第１ブロワが前記本体部の外部から前記気体を吸気することを可能にする第１吸気口と、前記第２ブロワが前記本体部の外部から前記気体を吸気することを可能にする第２吸気口と、を備え、
前記第１ブロワ及び前記第２ブロワは、同一のブロワであり、それぞれ左右に配置される、請求項３に記載の送風装置。
【請求項５】
前記第１ブロワ及び前記第２ブロワのうち一方は、前方から気体を吸気し、他方は、後方から気体を吸気し、
前記本体部は、略左右対称形状である、請求項４に記載の送風装置。
【請求項６】
前記本体部は、前記吸気部が内部に配置される第１本体部と、前記第１本体部の左側から延び且つ弾性材で形成される第２本体部と、前記第１本体部の右側から延び且つ弾性材で形成される第３本体部と、を備え、
前記第２本体部及び前記第３本体部は、それぞれを連結可能な第１連結部及び第２連結部を備える、請求項５に記載の送風装置。
【考案の詳細な説明】
【技術分野】
【０００１】
本出願は、送風装置に関する。
【背景技術】
【０００２】
従来、例えば、送風装置は、気体が通る通風路を内部に有する本体部と、通風路に気体を供給する吸気部と、を備え、本体部は、通風路と連通し且つ気体を本体部の外部に送風する複数の送風口を備える（例えば、特許文献１）。ところで、送風量は、吸気部から離れるにつれて減少するので、吸気部から離れた送風口は送風量が少ないという課題がある。
【先行技術文献】
【特許文献】
【０００３】
【特許文献１】特表２０１８−５０７９８７号公報
【考案の概要】
【考案が解決しようとする課題】
【０００４】
そこで、課題は、吸気部から離れるにつれて送風口での送風量が減少することを防止する送風装置を提供することである。
【課題を解決するための手段】
【０００５】
送風装置は、気体が通る通風路を内部に有する本体部と、前記通風路に前記気体を供給する吸気部と、を備え、前記本体部は、前記通風路と連通し且つ前記気体を前記本体部の外部に送風する複数の送風口を備え、前記複数の送風口は、前記吸気部から離れるにつれてサイズが大きくなるように整列して配置される。
【０００６】
斯かる構成によれば、送風口のサイズを大きくすることによって送風量を増加させることにより、吸気部から離れるにつれて送風口での送風量が減少することを防止することができる。
【図面の簡単な説明】
【０００７】
【図１】図１は、一実施形態に係る送風装置の斜視図である。
【図２】図２は、同実施形態に係る送風装置の上面図である。
【図３】図３は、同実施形態に係る送風装置の正面図である。
【図４】図４は、図２のIV−ＩV線拡大断面図である。
【図５】図５は、図２のＶ−Ｖ線拡大断面図である。
【図６】図６は、同実施形態に係る吸気部を説明するための正面図である。
【図７】図７は、同実施形態に係る送風装置の下面図である。
【図８】図８は、図２のVIII−VIII線拡大断面図である。
【図９】図８は、図２のIX−IX線拡大断面図である。
【図１０】図１０は、他の実施形態に係る送風装置の斜視図である。
【図１１】図１１は、他の実施形態に係る送風装置の上面図である。
【考案を実施するための形態】
【０００８】
以下、送風装置における一実施形態について、図１〜図９を参照しながら説明する。なお、各図（図１０及び図１１も同様）において、図面の寸法比と実際の寸法比とは、必ずしも一致しておらず、また、各図面間での寸法比も、必ずしも一致していない。
【０００９】
図１〜図３に示すように、本実施形態に係る送風装置１は、気体が通る通風路４（図６参照）を内部に有する本体部２と、通風路４に気体を供給する吸気部３（図６参照）と、を備える。本実施形態に係る気体は、空気であるが、これに限定されない。例えば、気体は、水蒸気であってもよい。
【００１０】
本体部２は、上面視において人の頸部に沿った略円環状に形成され、通風路４と連通し且つ気体を本体部２の外部に送風する複数の送風口５を備える。そして、送風口５は、本体部２を装着した人（装着者）の人体側に配置される。斯かる構成によれば、送風装置１を装着者の頸部に掛けることができ、装着者が送風装置１を手で持つことなく、装着者自身の人体に気体を送風することができる。これにより、例えば、装着者は、人体を冷やしながら作業をすることができる。
【００１１】
また、本体部２は、吸気部３が内部に配置された第１本体部６と、第１本体部６の左端から延びる第２本体部７と、第１本体部６の右端から延びる第３本体部８と、を備える。しかし、これに限定されず、例えば、吸気部３は、本体部２の外側に取り付けられる、という構成であってもよい。
【００１２】
第１本体部６は、例えば、樹脂で正面視において略逆三角形状に形成され、本体部２の前側に配置される。しかし、これに限定されず、例えば、第１本体部６は、本体部２の後側に配置される、という構成であってもよい。また、第１本体部６は、吸気部３の前方を覆う第１前本体部６１と、吸気部３の後方を覆う第１後本体部６２と、を備える。
【００１３】
第１前本体部６１は、吸気部３が第１本体部６の外部から気体を吸気することを可能にする第１吸気口６１１を備える。第１吸気口６１１は、第１前本体部６１の左側に配置された円状の第１開口部６１１ａと、第１開口部６１１ａ上に配置された放射線状の第１格子６１１ｂと、を備える。これにより、吸気部３が第１前本体部６１の外部（前方）から気体を吸気することができ且つ人の指が吸気部３と接触することを防止することができる。しかし、これに限定されず、例えば、第１吸気口６１１は、第１前本体部６１の右側に配置される、という構成であってもよい。
【００１４】
第１後本体部６２は、吸気部３が第１本体部６の外部から気体を吸気することを可能にする第２吸気口６２１を備える。第２吸気口６２１は、第１後本体部６２の右側に配置された円状の第２開口部６２１ａと、第２開口部６２１ａ上に配置された放射線状の第２格子６２１ｂと、を備える。これにより、吸気部３が第１後本体部６２の外部（後方）から気体を吸気することができ且つ人の指が吸気部３と接触することを防止することができる。しかし、これに限定されず、例えば、第２吸気部６２１は、第１後本体部６２の左側に配置される、という構成であってもよい。
【００１５】
第２本体部７は、外力により変形させることが可能な第１弾性部７１と、第１本体部６に接続する第１接続部７２（図４参照）と、第３本体部８と連結可能な第１連結部７３と、を備える。第３本体部８は、外力により変形させることが可能な第２弾性部８１と、第１本体部６に接続する第２接続部（不図示）と、第１連結部７３と連結可能な第２連結部８３と、を備える。本実施形態に係る第１弾性部７１及び第２弾性部８１は、それぞれ左右対称形状であるが、これに限定されない。
【００１６】
図４及び図５に示すように、第１弾性部７１は、弾性材（例えば、ゴム又はシリコン）で略円管状に形成され、第１接続部７２を取り付ける第１凸部７１１と、第１連結部７３を取り付ける第２凸部７１２と、を備える。第２弾性部８１は、弾性材（例えば、ゴム又はシリコン）で略円管状に形成され、第２接続部を取り付ける第３凸部（不図示）と、第２連結部８３を取り付ける第４凸部８１２と、を備える。
【００１７】
第１凸部７１１は、第１弾性部７１の内側に突出する円環状の突起であり、第１弾性部７１の前端に配置される。第２凸部７１２は、第１弾性部７１の内側に突出する円管状の突起であり、第１弾性部７１の後端に配置される。第３凸部及び第４凸部８１２は、それぞれ第１凸部７１１及び第２凸部７１２と同一形状である。
【００１８】
図４に示すように、第１接続部７２は、例えば、金属で円管状に形成された継手であり、長手方向の中央に第１凸部７１１を嵌めることが可能な円形溝状の第１凹部７２１を備える。第１凹部７２１に第１凸部７１１を嵌めることにより、第１接続部７２を第１弾性部７１に取り付けることができる。第２接続部は、第１接続部７２と同一の継手である。
【００１９】
第１弾性部７１の前端及び第１接続部７２は、第１前本体部６１及び第１後本体部６２に挟まれ、且つ、第１接続部７２と第１前本体部６１及び第１後本体部６２とのねじ（不図示）の螺合により第１本体部６に接続される。第２弾性部８１（図２参照）の前端及び第２接続部も同様に第１本体部６に接続される。斯かる構成により、第１本体部６に第２本体部７及び第２本体部８を接続でき、且つ、第１前本体部６１と第１後本体部６２とを固定することができる。
【００２０】
図５に示すように、第１連結部７３は、第１弾性部７１に取り付ける第１取付部７３１と、第３本体部８と連結する第１磁石部７３２と、第１取付部７３１及び第１磁石部７３２を覆う第１カバー部７３３と、を備える。第２連結部８３は、第２弾性部８１に取り付ける第２取付部８３１と、第１連結部７３と連結する第２磁石部８３２と、第２取付部８３１及び第２磁石部８３２を覆う第２カバー部８３３と、を備える。
【００２１】
第１取付部７３１は、例えば、金属で略円柱状に形成され、長手方向の中央に第２凸部７１２を嵌めることが可能な円形溝状の第２凹部７３１ａと、長手方向の右側に第１カバー部７３３を取り付ける第１雄ねじ部７３１ｂと、を備える。第２取付部８３１は、第１取付部７３１と同一形状であり、第３凹部８３１ａと第２雄ねじ部８３１ｂとを備える。
【００２２】
第１磁石部７３２は、円柱状の磁石であり、長手方向の右側に一段下がった第１段差部７３２ａを備える。第２磁石部８３２は、円柱状の磁石であり、長手方向の左側に一段下がった第２段差部８３２ａを備える。そして、第２段差部８３２ａの磁極は、第１段差部７３２ａの磁極と異なる。斯かる構成によれば、異なる磁極が引き合うことにより、第１連結部７３と第２連結部８３とを連結することができる。
【００２３】
これにより、装着者は、第１弾性部７１及び第２弾性部８１を弾性変形させるとともに、第１連結部７３及び第２連結部８３を連結することにより、送風装置１を装着することができる。また、装着者は、第１連結部７３及び第２連結部８３の連結を解除するとともに、第１弾性部７１及び第２弾性部８１を弾性変形させることにより、送風装置１を取り外すことができる。その結果、例えば、装着者は、送風装置１の脱着を容易に行うことができる。
【００２４】
第１カバー部７３３は、例えば、金属又は樹脂で略円管状に形成され、第１雄ねじ部７３１ｂと螺合する第１雌ねじ部７３３ａと、第１磁石部７３２を保持する第１保持部７３３ｂと、第２連結部８３との連結で位置決めをする位置決め凹部７３３ｃと、を備える。
【００２５】
第１雌ねじ部７３３ａは、第１カバー部７３３の内側の長手方向の中央に配置され、第１雄ねじ部７３１ｂが螺合される。これにより、第１取付部７３１を第１カバー部７３３に取り付けることができる。
【００２６】
第１保持部７３３ｂは、第１カバー部７３３の内側に突出する円環状の突起であり、長手方向の右端に配置される。これにより、第１段差部７３２ａを第１保持部７３３ｂに嵌めることができ、第１保持部７３３ｂと第１取付部７３１とによって第１磁石部７３２を挟むことにより、第１磁石部７３２を第１カバー部７３３の内部で保持することができる。
【００２７】
第２カバー部８３３は、例えば、金属又は樹脂で略円管状に形成され、第２雄ねじ部８３１ｂと螺合する第２雌ねじ部８３３ａと、第２磁石部８３２を保持する第２保持部８３３ｂと、第１連結部７３との連結で位置決めをする位置決め凸部８３３ｃと、を備える。第２雌ねじ部８３３ａ、第２保持部８３３ｂは、それぞれ第１雌ねじ部７３３ａ、第１保持部７３３ｂと同一形状である。これにより、第２取付部８３１を第２カバー部８３３に取り付けることができ、第２磁石部８３２を第２カバー部８３３の内部で保持することができる。
【００２８】
位置決め凹部７３３ｃは、第１カバー部７３３の外側の右端から長手方向の右側に突出する円環状の突起である。位置決め凸部８３３ｃは、第２保持部８３３ｂの左端から長手方向の左側に突出する円環状の突起である。そして、位置決め凹部７３３ｃの内径は、位置決め凸部８３３ｃの外形よりも大きい。これにより、位置決め凸部８３３ｃを位置決め凹部７３３ｃに嵌ることができ、第１連結部７３と第２連結部８３とを決まった位置で連結することができる。
【００２９】
図６は、第１前本体部６１を取り外した状態での正面図である。図６に示すように、吸気部３は、後述する第１通風路４１に気体を供給する第１ブロワ３１と、後述する第２通風路４２に気体を供給する第２ブロワ３２と、第１ブロワ３１及び第２ブロワ３２に電源を供給する電源部３３と、第１ブロワ３１及び第２ブロワ３２を制御する制御部３４と、を備える。
【００３０】
第１ブロワ３１は、第１本体部６の内部の左側に配置され、前方に配置された第１吸気口６１１から外部の気体を吸気する。第２ブロワ３２は、第１本体部６の内部の右側に配置され、後方に配置された第２吸気口６２１から外部の気体を吸気する。そして、第１ブロワ３１及び第２ブロワ３２と第１本体部６の中心との距離である第１距離Ｗ１及び第２距離Ｗ２は、同一である。斯かる構成によれば、第１本体部６を略左右対称形状とすることができ、送風装置１に美観を生じさせることができる。これにより、例えば、送風装置１の購買意欲を高めることができる。
【００３１】
また、斯かる構成によれば、第１ブロワ３１及び第２ブロワ３２を同一のブロワにすることができる。これにより、例えば、部品の共通化ができ、管理コストなどを抑えることができる。さらに、第１通風路４１及び第２通風路４２に供給される気体の供給量を同一にすることができる。
【００３２】
なお、上記構成に限定されず、例えば、第１ブロワ３１は、後方に配置された第１吸気口６１１から外部の気体を吸気し、第２ブロワ３２は、前方に配置された第２吸気口６２１から外部の気体を吸気する、という構成であってもよい。
【００３３】
電源部３３は、第１ブロワ３１及び第２ブロワ３２を動作させるのに必要な電力を蓄電可能な蓄電部３３１と、外部電源（不図示）と接続可能な蓄電口３３２と、蓄電口３３２を覆う蓄電口カバー３３３と、を備える。蓄電部３３１は、略直方体状であり、第１本体部６の内部の中央（第１ブロワ３１と第２ブロワ３２との間）に配置される。蓄電口３３２は、第１本体部６の内部で且つ蓄電部３３１の下方に配置される。本実施形態に係る蓄電口３３２は、ＵＳＢポートであるが、これに限定されない。
【００３４】
制御部３４は、第１ブロワ３１及び第２ブロワ３２を制御する制御基板３４１と、第１ブロワ３１及び第２ブロワ３２を操作する操作ボタン３４２と、吸気部３の状態を表示する表示灯３４３と、を備える。制御基板３４１は、略長方形平板状であり、第１本体部６の内部で且つ蓄電部３３１の前方に配置される。
【００３５】
図７は、第１本体部６の下側を示す下面図である。図７に示すように、蓄電口カバー３３３は、例えば、ゴムで略長方形平板状に形成され、第１本体部６の下端で且つ蓄電口３３２（図６参照）の下方に配置される。操作ボタン３４２は、例えば、ゴム又は樹脂で略円柱状に形成され、第１本体部６の下端で且つ蓄電口カバー３３３の右方に配置される。例えば、操作ボタン３４２の入力回数によって、第１ブロワ３１及び第２ブロワ３２の吸気力（回転速度）を調整することができる。表示灯３４３は、第１本体部６の下端で且つ蓄電口カバー３３３の左方に配置される。例えば、表示灯３４３を点灯させることにより、第１ブロワ３１及び第２ブロワ３２が動作していることを表すことができる。
【００３６】
図４〜図６に示すように、通風路４は、第１ブロワ３１の左方から延びる第１通風路４１と、第２ブロワ３２の右方から延びる第２通風路４２と、を備える。第１通風路４１は、第１本体部６及び第２本体部７の内部に配置され、第２通風路４２は、第１本体部６及び第３本体部８の内部に配置される。本実施形態に係る第１通風路４１及び第２通風路４２は、それぞれ左右対称形状であるが、これに限定されない。
【００３７】
図２、図８及び図９に示すように、複数の送風口５は、第１通風路４１と連通する複数の第１送風口５１と、第２通風路４２と連通する複数の第２送風口５２と、を備える。複数の第１送風口５１は、それぞれが長手方向を前後方向とする略長方形状の開口であり、第１本体部６の内側（後側）の上方及び第２本体部７の内側（右側）の上方に第１送風角度θ１で配置される。複数の第２送風口５２は、それぞれが長手方向を前後方向とする略長方形状の開口であり、第１本体部６の内側（後側）の上方及び第２本体部７の内側（右側）の上方に第２送風角度θ２で配置される。
【００３８】
斯かる構成によれば、左右に配置された複数の第１送風口５１及び複数の第２送風口５２から内側の上方（第１送風角度θ１及び第２送風角度θ２）に向かって気体が送風されるので、装着者の頸部及び側頭部を同時に冷やすことができる。
【００３９】
本実施形態に係る第１送風角度θ１及び第２送風角度θ２は、それぞれ同一の４０°であるが、これに限定されない。例えば、第１送風角度θ１及び第２送風角度θ２は、それぞれ異なっていてもよい。
【００４０】
複数の第１送風口５１及び複数の第２送風口５２は、第１ブロワ３１（図６参照）及び第２ブロワ３２（図６参照）から離れるにつれてサイズが大きくなるように整列して配置される。斯かる構成によれば、第１送風口５１及び第２送風口５２のサイズを大きくすることによって送風量を増加させることにより、第１ブロワ３１及び第２ブロワ３２から離れるにつれて第１送風口５１及び第２送風口５２での送風量が減少することを防止することができる。これにより、例えば、複数の第１送風口５１及び複数の第２送風口５２から送風される送風量のバラツキを抑えることができ、各第１送風口５１及び各第２送風口５２によって冷却性能が変わることを防止することができる。
【００４１】
本実施形態に係る複数の第１送風口５１及び複数の第２送風口５２は、第１ブロワ３１及び第２ブロワ３２から離れるにつれて長手方向が長くなるように整列して配置される。しかし、これに限定されず、例えば、複数の第１送風口５１及び複数の第２送風口５２は、第１ブロワ３１及び第２ブロワ３２から離れるにつれて短手方向が長くなるように整列して配置されてもよい。
【００４２】
また、複数の第１送風口５１及び複数の第２送風口５２は、それぞれ左右対称形状である。斯かる構成によれば、複数の第１送風口５１及び複数の第２送風口５２から送風される送風量をそれぞれ同一にすることができる。これにより、例えば、送風装置１は、装着者の頸部及び側頭部の左右を均一に冷やすことができる。
【００４３】
第２本体部７に配置された各第１送風口５１の間隔は、一定であるが、これに限定されない。第３本体部８に配置された各第２送風口５２の間隔についても同様である。
【００４４】
以上より、本実施形態に係る送風装置１は、気体が通る通風路４を内部に有する本体部２と、通風路４に気体を吸気する吸気部３と、を備え、本体部２は、通風路４と連通し且つ気体を本体部２の外部に送風する複数の送風口５を備え、複数の送風口５は、吸気部３から離れるにつれてサイズが大きくなるように整列して配置される。
【００４５】
斯かる構成によれば、送風口５（第１送風口５１及び第２送風口５２）のサイズを大きくすることによって送風量を増加させることにより、吸気部３（第１ブロワ３１及び第２ブロワ３２）から離れるにつれて送風口５での送風量が減少することを防止することができる。
【００４６】
また、本実施形態に係る送風装置１は、本体部２は、人の頸部に沿った曲線状であり、送風口５は、本体部２を装着した装着者の人体側に配置される、という構成である。
【００４７】
斯かる構成によれば、送風装置１を装着者の頸部に掛けることができ、装着者が送風装置１を手で持つことなく、装着者自身の人体に気体を送風することができる。
【００４８】
また、本実施形態に係る送風装置１は、吸気部３は、頸部の前方又は後方に配置され、通風路４は、吸気部３の左方から延びる第１通風路４１と、吸気部３の右方から延びる第２通風路４２と、を備え、複数の送風口５は、第１通風路４１と連通する複数の第１送風口５１と、第２通風路４２と連通する複数の第２送風口５２と、を備え、複数の第１送風口５１及び複数の第２送風口５２は、本体部２の内側の上方を向くように配置される、という構成である。
【００４９】
斯かる構成によれば、左右に配置された複数の第１送風口５１及び複数の第２送風口５２から内側の上方に向かって気体が送風されるので、装着者の頸部及び側頭部の左右両側を同時に冷やすことができる。
【００５０】
また、本実施形態に係る送風装置１は、第１通風路４１及び第２通風路４２は、それぞれ左右対称形状であり、複数の第１送風口５１及び複数の第２送風口５２は、それぞれ左右対称形状であり、吸気部３は、本体部２の内部に配置されるとともに、第１通風路４１に気体を供給する第１ブロワ３１と、第２通風路４２に気体を供給する第２ブロワ３２とを備え、本体部２は、第１ブロワ３１が本体部２の外部から気体を吸気することを可能にする第１吸気口６１１と、第２ブロワ３２が本体部２の外部から気体を吸気することを可能にする第２吸気口６２１と、を備え、第１ブロワ３１及び第２ブロワ３２は、同一のブロワであり、それぞれ左右に配置される、という構成である。
【００５１】
斯かる構成によれば、第１通風路４１及び第２通風路４２に供給される気体の供給量をそれぞれ同一にすることができるので、複数の第１送風口５１及び複数の第２送風口５２から送風される送風量をそれぞれ同一にすることができる。
【００５２】
また、本実施形態に係る送風装置１は、第１ブロワ３１及び第２ブロワ３２のうち一方は、前方から気体を吸気し、他方は、後方から気体を吸気し、本体部２は、略左右対称形状である、という構成である。
【００５３】
斯かる構成によれば、本体部２を略左右対称形状とすることができ、送風装置１に美観を生じさせることができる。
【００５４】
また、本実施形態に係る送風装置１は、本体部２は、吸気部３が内部に配置される第１本体部６と、第１本体部６の左側から延び且つ弾性材で形成される第２本体部７と、第１本体部６の右側から延び且つ弾性材で形成される第３本体部８と、を備え、第２本体部７及び第３本体部８は、それぞれを連結可能な第１連結部７３及び第２連結部８３を備える、という構成である。
【００５５】
斯かる構成によれば、装着者は、第２本体部７及び第３本体部８を弾性変形させるとともに、第１連結部７３及び第２連結部８３を連結することにより、送風装置１を装着することができる。また、装着者は、第１連結部７３及び第２連結部８３の連結を解除するとともに、第２本体部７及び第３本体部８を弾性変形させることにより、送風装置１を取り外すことができる。
【００５６】
なお、送風装置１は、上記した実施形態の構成に限定されるものではなく、また、上記した作用効果に限定されるものではない。また、送風装置１は、本出願の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５７】
（１）本実施形態に係る送風装置１においては、本体部２は、上面視において人の頸部に沿った略円環状である。しかし、これに限定されず、例えば、図１０に示すように、本体部２は、卓上に置くことが可能な略直方体状であってもよい。また、例えば、図１１に示すように、本体部２は、人の頸部に沿った略Ｕ字状であってもよい。
【００５８】
（２）本実施形態に係る送風装置１においては、吸気部３は、第１ブロワ３１及び第２ブロワ３２の２つのブロワを備える、という構成である。しかし、これに限定されず、例えば、図１１に示すように、吸気部３は、ファン３ａを左右に２つ備える、という構成であってもよい。
【００５９】
（３）本実施形態に係る送風装置１においては、第１送風口５１及び第２送風口５２は、略長方形状である。しかし、これに限定されず、例えば、第１送風口５１及び第２送風口５２は、円状であってもよい。
【００６０】
（４）本実施形態に係る送風装置１においては、第１連結部７３及び第２連結部８３は、第１磁石部７３２及び第２磁石部８３２の磁極の引き合いにより連結する、という構成である。しかし、これに限定されず、例えば、第１連結部７３を略Ｏ状とし、第２連結部８３を鉤状とすることによって、第２連結部８３を第１連結部７３に引っ掛けることにより第１連結部７３及び第２連結部８３を連結する、という構成であってもよい。
【符号の説明】
【００６１】
１：送風装置、２：本体部、３：吸気部、３１：第１ブロワ、３２：第２ブロワ、３３：電源部、３３１：蓄電部、３３２：蓄電口、３３３：蓄電口カバー、３４：制御部、３４１：制御基板、３４２：操作ボタン、３４３：表示灯、３ａ：ファン、４：通風路、４１：第１通風路、４２：第２通風路、５：送風口、５１：第１送風口、５２：第２送風口、６：第１本体部、６１：第１前本体部、６１１：第１吸気口、６１１ａ：第１開口部、６１１ｂ：第１格子、６２：第１後本体部、６２１：第２吸気口、６２１ａ：第２開口部、６２１ｂ：第２格子、７：第２本体部、７１：第１弾性部、７１１：第１凸部、７１２：第２凸部、７２：第１接続部、７２１：第１凹部、７３：第１連結部、７３１：第１取付部、７３１ａ：第２凹部、７３１ｂ：第１雄ねじ部、７３２：第１磁石部、７３２ａ：第１段差部、７３３：第１カバー部、７３３ａ：第１雌ねじ部、７３３ｂ：第１保持部、７３３ｃ：位置決め凹部、８：第３本体部、８１：第２弾性部、８１２：第４凸部、８３：第２連結部、８３１：第２取付部、８３１ａ：第３凹部、８３１ｂ：第２雄ねじ部、８３２：第２磁石部、８３２ａ：第２段差部、８３３：第２カバー部、８３３ａ：第２雌ねじ部、８３３ｂ：第２保持部、８３３ｃ：位置決め凸部、Ｗ１：第１距離、Ｗ２：第２距離、θ１：第１送風角度、θ２：第２送風角度
【図１】
0003226635.tif 000003
【図２】
0003226635.tif 000004
【図３】
0003226635.tif 000005
【図４】
0003226635.tif 000006
【図５】
0003226635.tif 000007
【図６】
0003226635.tif 000008
【図７】
0003226635.tif 000009
【図８】
0003226635.tif 000010
【図９】
0003226635.tif 000011
【図１０】
0003226635.tif 000012
【図１１】
0003226635.tif 000013